Podtech/llm-jp-corpus-v4-ja_patent huggingface dataset:
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
車両（１）の外気吸入口（１３）とエンジンルーム（１０）との間に配置されるヒートポンプサイクルの熱交換器（４１）に空気を循環させる車両の気流循環構造であって、
前記外気吸入口を開閉させるフロントシャッター（５０）と、
前記フロントシャッターが開状態であるときに、前記外気吸入口から前記熱交換器を通過して前記エンジンルームに向かう方向に空気を流すとともに、前記フロントシャッターが閉状態であるときに、前記エンジンルームから前記熱交換器を通過して前記外気吸入口に向かう方向に空気を流すファン装置（４４）と、
前記フロントシャッターが閉状態であるときに、前記ファン装置から送風されて前記フロントシャッターに当たることにより風向の変化した空気を前記車両の熱源（２０，２１，２２）に導くダクト部材（６０，１００，１０１，１２０）と、を備え、
前記ダクト部材は、
前記車両のアンダーカバーに隣接して配置されるとともに、
前記フロントシャッターに当たることにより風向の変化した空気を導入する導入口から、前記熱源に空気を排出する排出口に向かうほど、流路断面積が狭くなるように形成されている
車両の気流循環構造。
【請求項２】
前記ダクト部材は、
前記排出口から排出される空気の風向を前記熱源に向かう方向に変化させる導風板（６２）を有する
請求項１に記載の車両の気流循環構造。
【請求項３】
前記フロントシャッターに当たった空気を前記導入口に導く流路を開閉するアンダーシャッター（６４）を更に備える
請求項１又は２に記載の車両の気流循環構造。
【請求項４】
前記アンダーシャッターは、
前記フロントシャッターが閉状態であるとき、弾性部材から付与される付勢力に基づいて開状態に保持されるとともに、
前記フロントシャッターが開状態であるとき、前記外気吸入口から吸入される空気の風圧により閉状態となる
請求項３に記載の車両の気流循環構造。
【請求項５】
前記フロントシャッターの開閉及び前記アンダーシャッターの開閉を連動させるアクチュエータ装置（９０）を更に備える
請求項３に記載の車両の気流循環構造。
【請求項６】
前記熱源は、
前記車両の排気マニホールド、ターボチャージャー、排気浄化触媒（２２）、モータ、及びインバータのいずれかである
請求項１〜５のいずれか一項に記載の車両の気流循環構造。
【請求項７】
前記導風板に設けられ、前記ダクト部材の前記排出口から排出される空気の流れを、前記熱源の車両左右方向の両側面にそれぞれ流れるように分流させる分流部（６２０）を更に備える
請求項２に記載の車両の気流循環構造。
【請求項８】
前記ダクト部材は、車両左右方向に対して複数設けられている
請求項１〜７のいずれか一項に記載の車両の気流循環構造。
【請求項９】
前記外気吸入口は、車両のフロントグリル（３０）から前記エンジンルームに向かって延びるように形成され、
前記フロントシャッターは、前記フロントグリルと前記熱交換器との間に配置されている
請求項１〜８のいずれか一項に記載の車両の気流循環構造。
【請求項１０】
前記フロントシャッターは、前記フロントグリルよりも前記熱交換器に近い位置に配置されている
請求項９に記載の車両の気流循環構造。
【手続補正２】
【補正対象書類名】明細書
【補正対象項目名】０００９
【補正方法】変更
【補正の内容】
【０００９】
上記課題を解決する車両（１）の気流循環構造は、外気吸入口（１３）とエンジンルーム（１０）との間に配置されるヒートポンプサイクルの熱交換器（４１）に空気を循環させる。気流循環構造は、外気吸入口を開閉させるフロントシャッター（５０）と、フロントシャッターが開状態であるときに、外気吸入口から熱交換器を通過してエンジンルームに向かう方向に空気を流すとともに、フロントシャッターが閉状態であるときに、エンジンルームから熱交換器を通過して外気吸入口に向かう方向に空気を流すファン装置（４４）と、フロントシャッターが閉状態であるときに、ファン装置から送風されてフロントシャッターに当たることにより風向の変化した空気を車両の熱源（２０，２１，２２）に導くダクト部材（６０）と、を備え、ダクト部材は、車両のアンダーカバーに隣接して配置されるとともに、フロントシャッターに当たることにより風向の変化した空気を導入する導入口から、熱源に空気を排出する排出口に向かうほど、流路断面積が狭くなるように形成されている。
【誤訳訂正書】
【提出日】平成31年4月3日(2019.4.3)
【誤訳訂正１】
【訂正対象書類名】明細書
【訂正対象項目名】００６３
【訂正方法】変更
【訂正の内容】
【００６３】
図１５は、形成前の図１１の支持部材３０ａの近位部１３０ａ、１３２ａの平面図である（あたかも、支持部材３０ａが真っ直ぐに曲げられずに置かれているかのようになっている）。各々の支持部材３０ａ〜３０ｄの近位部１３０ａ〜１３０ｄ、１３２ａ〜１３２ｄ（図１５に示されている支持部材３０ａの近位部１３０ａ、１３２ａ）は、図１７〜図２４に関連して本明細書において後でより詳しく記載されるように、一体に結合されるように、および、カテーテル本体２０の遠位部２２に結合されるように、構成されている（図１に示されている）。なおも図１５を参照すると、近位部１３０ａ、１３２ａは、指示スロット１４０ａ、１４２ａと、抑制スロット１４４ａ、１４６ａとを各々備えている。支持部材３０ａを大まかに円の形状（図１１に示されているような形）へと形成した後、指示スロット１４０ａ、１４２ａは、概して互いに正反対であり、抑制スロット１４４ａ、１４６ａも概して互いに正反対である。実施形態では、指示スロット１４０ａ、１４２ａは、アセンブリ１２を製作するときの視覚的な助けとして機能する。例えば、限定されることなく、指示スロット１４０ａ、１４２ａは、組み立ての前、最中、または後に、支持部材３０ａを切断するための場所を指示できる。図１８〜図２０に関連して本明細書において後でより詳しく記載されるように、抑制スロット１４４ａ、１４６ａは、支持部材３０ａの近位部１３２ａ、１３４ａを軸方向で固定するように構成されており、幅１４８、１５０と、長さ１５２、１５４と、各々が径方向に延びている内側縁１５６ａ、１５８ａ、１６０ａ、１６２ａとを各々有し得る。内側縁１５６ａ、１５８ａ、１６０ａ、１６２ａは、長手方向軸２４に対して概して垂直であるとして示されているが、当業者は、縁１５６ａ、１５８ａ、１６０ａ、１６２ａが長手方向軸２４に対して様々な角度で延びてもよいことを理解するであろう。支持部材３０ａは、（図１６に示されている）側部１６４ａ、１６６ａを含んでいる。一実施形態では、近位部１３０ａの指示スロット１４０ａおよび抑制スロット１４４ａは、側部１６４ａに配置されており、第１の径方向を向いてもよく、近位部１３２ａの指示スロット１４２ａおよび抑制スロット１４６ａは、側部１６６ａに配置されており、（軸２４の周りに）第１の径方向から概して１８０度である第２の径方向を向いてもよい。図示されている実施形態では、各々のスロット１４０ａ、１４２ａ、１４４ａ、１４６ａは、丸められた角を有する。他の実施形態では、角は丸められなくてもよい。
【誤訳訂正２】
【訂正対象書類名】特許請求の範囲
【訂正対象項目名】全文
【訂正方法】変更
【訂正の内容】
【特許請求の範囲】
【請求項１】
長手方向軸、近位部、および遠位部を伴う電極支持構造アセンブリであって、
前記長手方向軸方向において延びる第１の近位部、および、前記第１の近位部と概して平行な第２の近位部を備える支持部材と、
前記アセンブリの前記近位部に配置され、前記支持部材の前記第１の近位部および前記第２の近位部の移動を前記長手方向軸方向において抑制するように構成された抑制環体と、
前記アセンブリの前記近位部に配置され、前記支持部材の前記第１の近位部および前記第２の近位部の前記長手方向軸の周りでの回転を抑制するように構成された捩じれ環体と、
前記抑制環体と前記捩じれ環体との少なくとも一方を部分的に包囲し、前記抑制環体と前記捩じれ環体との少なくとも一方に対して前記支持部材の前記第１の近位部および前記第２の近位部を固定するように構成された保持環体と、
を備え、
前記保持環体は、接着材料で充填されるように構成された複数個の開口を備える、
電極支持構造アセンブリ。
【請求項２】
前記複数個の開口のそれぞれは、円形、又は、半円形である、請求項１に記載のアセンブリ。
【請求項３】
前記複数個の開口のそれぞれは、（ｉ）前記長手方向軸方向で前記保持環体の幅に沿って中心に配置されており、又は、（ｉｉ）前記保持環体の遠位面に沿って配置されている、請求項１又は２に記載のアセンブリ。
【請求項４】
前記抑制環体と前記捩じれ環体とは、１つの部品となるように構築されている、請求項１から３のいずれか一項に記載のアセンブリ。
【請求項５】
長手方向軸、近位部、および遠位部を伴う電極支持構造アセンブリであって、
前記長手方向軸方向において延びる第１の近位部、および、前記第１の近位部と概して平行な第２の近位部を備える支持部材と、
前記アセンブリの前記近位部に配置され、前記支持部材の前記第１の近位部および前記第２の近位部の移動を前記前記長手方向軸方向において抑制するように構成された抑制環体と、
前記アセンブリの前記近位部に配置され、前記支持部材の前記第１の近位部および前記第２の近位部の前記長手方向軸の周りでの回転を抑制するように構成された捩じれ環体と、
前記抑制環体と前記捩じれ環体との少なくとも一方を部分的に包囲し、前記抑制環体と前記捩じれ環体との少なくとも一方に対して前記支持部材の前記第１の近位部および前記第２の近位部を固定するように構成された保持環体と、
を備え、
前記抑制環体は近位面と遠位面とを備え、前記捩じれ環体は近位面と遠位面とを備え、前記捩じれ環体の前記近位面は、前記長手方向軸方向で前記抑制環体の前記遠位面に当接する、
電極支持構造アセンブリ。
【請求項６】
前記保持環体は近位面と遠位面とを備え、前記支持部材は、前記捩じれ環体の前記遠位面と前記保持環体の前記遠位面とのうちの少なくとも一方に当接する非導電性の被覆で、前記抑制環体と、前記捩じれ環体と、前記保持環体とのうちの少なくとも１つに結合される、請求項５に記載のアセンブリ。
【請求項７】
前記支持部材が、第１の側と、前記第１の側の正反対の第２の側とを備え、前記支持部材の前記第１の近位部が、前記第１の側に配置される第１のスロットを備え、前記支持部材の前記第２の近位部が、前記第２の側に配置される第２のスロットを備える、請求項１から６のいずれか一項に記載のアセンブリ。
【請求項８】
前記支持部材の前記第１および第２の近位部の前記第１および第２のスロットが、それぞれ、前記抑制環体の第１および第２の溝を介して、前記抑制環体と結合する、請求項７に記載のアセンブリ。
【請求項９】
前記抑制環体の前記第１および第２の溝は、互いに直径方向で反対とされている、請求項８に記載のアセンブリ。
【請求項１０】
前記支持部材の前記第１および第２の近位部が、前記捩じれ環体の第１および第２の溝を介して、前記捩じれ環体と結合する、請求項１から９のいずれか一項に記載のアセンブリ。
【請求項１１】
前記捩じれ環体の前記第１および第２の溝は、互いに直径方向で反対とされている、請求項１０に記載のアセンブリ。
【請求項１２】
前記長手方向軸方向に沿って延びる流体送達路をさらに備える、請求項１から１１のいずれか一項に記載のアセンブリ。
【請求項１３】
前記流体送達路は、少なくとも１つの洗浄ポートを備える、請求項１２に記載のアセンブリ。
【請求項１４】
前記支持部材は柔軟である、請求項１から１３のいずれか一項に記載のアセンブリ。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
第１及び第２のゲーム装置を含み、前記第１及び第２のゲーム装置は共通のゲームをユーザに提供可能であるゲームシステムにおいて、
ユーザの操作に基づいて進行させることにより所定のオブジェクトを育成する要素を有するゲームを提供する制御部と、
前記ゲームにおける育成結果を含むゲームデータを保持する記憶部と、を備え、
前記第１及び第２のゲーム装置のうちのいずれか一方のゲーム装置で実行された前記ゲームにおける育成結果である育成後オブジェクトに関する前記ゲームデータを用いて、いずれか他方のゲーム装置において前記ゲームを実行可能とし、
さらに、前記第１及び第２のゲーム装置の一方は、前記ゲームデータの少なくとも一部についての情報を記録媒体に記録可能な出力手段を備える、
ゲームシステム。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
第１遊技設定値と、第２遊技設定値と、を含む複数の遊技設定値のうち、何れかを設定可能な設定手段と、
前記設定手段により設定された遊技設定値に関する情報である遊技設定値情報を報知可能な報知手段と、
当選役を決定可能な当選役決定手段と、
第１遊技状態と、当該第１遊技状態よりも有利な第２遊技状態と、当該第１遊技状態よりも有利な第３遊技状態と、を含む複数の遊技状態のうち、何れかの遊技状態に制御可能な遊技状態制御手段と、
前記第２遊技状態において、前記当選役決定手段により特定当選役が決定された場合、前記第２遊技状態を延長させるための延長利益を付与可能な付与手段と、
を備え、
前記遊技状態制御手段は、
前記第２遊技状態において、所定条件が成立したことに基づいて、遊技状態を前記第３遊技状態に制御することが可能であり、
前記報知手段は、
前記第３遊技状態において、前記当選役決定手段により前記特定当選役が決定された場合、前記遊技設定値情報を報知可能である
ことを特徴とする遊技機。
【請求項２】
前記第２遊技状態及び前記第３遊技状態を含む有利状態における遊技回数を計数可能な計数手段を備え、
前記遊技状態制御手段は、
前記第２遊技状態において、前記遊技回数計数手段による計数結果が特定遊技回数に到達した場合、遊技状態を前記第１遊技状態に制御する
ことを特徴とする請求項１に記載の遊技機。
【請求項３】
前記付与手段は、
前記第３遊技状態において、前記当選役決定手段により前記特定当選役が決定された場合、前記延長利益を付与しないことが可能である
ことを特徴とする請求項１又は２に記載の遊技機。
【請求項４】
前記遊技回数計数手段による計数結果が前記特定遊技回数に到達した場合、前記付与手段により付与された延長利益を消去する延長利益消去手段を備えた
ことを特徴とする請求項１〜３の何れか一項に記載の遊技機。
【請求項５】
前記第１遊技状態は、
非ＡＴ状態であり、
前記第２遊技状態及び前記第３遊技状態は、
ＡＴ状態である
ことを特徴とする請求項１〜４の何れか一項に記載の遊技機。
【手続補正２】
【補正対象書類名】明細書
【補正対象項目名】０００５
【補正方法】変更
【補正の内容】
【０００５】
この目的を達成するため、本発明の遊技機は、第１遊技設定値と、第２遊技設定値と、を含む複数の遊技設定値のうち、何れかを設定可能な設定手段と、前記設定手段により設定された遊技設定値に関する情報である遊技設定値情報を報知可能な報知手段と、当選役を決定可能な当選役決定手段と、第１遊技状態と、当該第１遊技状態よりも有利な第２遊技状態と、当該第１遊技状態よりも有利な第３遊技状態と、を含む複数の遊技状態のうち、何れかの遊技状態に制御可能な遊技状態制御手段と、前記第２遊技状態において、前記当選役決定手段により特定当選役が決定された場合、前記第２遊技状態を延長させるための延長利益を付与可能な付与手段と、を備え、前記遊技状態制御手段は、前記第２遊技状態において、所定条件が成立したことに基づいて、遊技状態を前記第３遊技状態に制御することが可能であり、前記報知手段は、前記第３遊技状態において、前記当選役決定手段により前記特定当選役が決定された場合、前記遊技設定値情報を報知可能である構成としてある。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ゲームオブジェクトに関連付けられた、互いに長さの異なる複数の期間にそれぞれ対応する複数の効果を示す期間別効果データを取得するデータ取得手段と、
前記複数の期間のうち、ゲームの実行時点が含まれる期間を特定する期間特定手段と、
前記ゲームに用いられた前記ゲームオブジェクトに関連付けられた、前記取得された期間別効果データが示す効果を発生させる効果発生手段と、
を含み、
前記複数の期間には、互いに重複する期間があり、
前記効果発生手段は、前記期間特定手段により複数の期間が特定された場合に、当該複数の期間の各々に対応する効果をそれぞれ発生させる、
ことを特徴とするゲームシステム。
【請求項２】
前記ゲームでは、複数の前記ゲームオブジェクトのうちの少なくとも１つが用いられ、
前記複数のゲームオブジェクトの各々には、当該ゲームオブジェクトに固有の効果を示す前記期間別効果データが関連付けられており、
前記効果発生手段は、前記ゲームで用いられる前記少なくとも１つのゲームオブジェクトに固有の効果を発生させる、
ことを特徴とする請求項１に記載のゲームシステム。
【請求項３】
前記ゲームシステムは、前記複数の期間のうちの少なくとも１つに対応する効果を、前記ゲームの実行時点に基づいて変更する効果変更手段を更に含む、
ことを特徴とする請求項１又は２に記載のゲームシステム。
【請求項４】
請求項１〜３の何れか１に記載のゲームシステムとしてコンピュータを機能させるためのプログラム。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
盤面と、
前記盤面上に存在する物体を検出する検出手段と、
物体から取得された情報に基づくゲームであって、前記検出手段による検出結果を反映したゲームを実行する実行手段と、
所定の期間の移動がないと判断する物体が存在する場合に、該物体の検出結果をゲームに反映しないよう制御する制御手段と、
を備えるゲーム装置。
【請求項２】
前記検出手段により検出される物体は、第１の種別の物体と、前記第１の種別の物体とは異なる第２の種別の物体を含み、
前記実行手段は、前記第１の種別の物体から取得された情報に基づいて前記ゲームを実行する請求項１に記載のゲーム装置。
【請求項３】
前記制御手段は、前記盤面について、前記検出手段による検出結果を前記ゲームに反映させる第１の領域と、前記検出手段による検出結果を前記ゲームに反映させない第２の領域とを設定する設定手段を含む請求項２に記載のゲーム装置。
【請求項４】
前記設定手段は、前記所定の期間の移動がないと判断する物体が存在する場合、該物体に係る領域を前記第２の領域に設定する請求項３に記載のゲーム装置。
【請求項５】
前記検出手段により検出された前記第１の種別の物体に基づいて、前記ゲームに登場させるゲーム要素を登録する登録手段をさらに備え、
前記設定手段は、前記所定の期間の移動がないと判断する物体のうち、前記登録手段による登録に用いられた前記第１の種別の物体に係る領域は、前記第２の領域に設定しない
請求項４に記載のゲーム装置。
【請求項６】
前記設定手段は、前記第２の領域に物体が存在しなくなったことを条件として、該第２の領域を前記第１の領域に設定する請求項４または５に記載のゲーム装置。
【請求項７】
前記検出手段は、前記設定手段により前記第２の領域が設定された後は、該第２の領域について少なくとも前記第２の種別の物体を検出しない請求項４乃至６のいずれか１項に記載のゲーム装置。
【請求項８】
前記第１の種別の物体は、前記ゲームに登場するゲーム要素を特定するための情報を有し、
前記第２の種別の物体は、前記ゲーム要素を特定するための情報を有しない請求項２乃至７のいずれか１項に記載のゲーム装置。
【請求項９】
前記ゲームの実行に係り、物体を排出する排出手段をさらに有し、
前記排出手段による排出対象は、前記第１の種別の物体であり、
前記第２の種別の物体は、前記排出手段による排出対象に含まれない請求項２乃至８のいずれか１項に記載のゲーム装置。
【請求項１０】
前記検出結果は、物体の各々について、前記盤面上における位置及び移動状態の少なくともいずれかを示す請求項１乃至９のいずれか１項に記載のゲーム装置。
【請求項１１】
盤面を備えるゲーム装置と、該盤面上に載置されるゲーム用物品とで構成されるゲームシステムであって、
前記ゲーム装置は、
前記盤面上に存在する、前記ゲーム用物品と、前記ゲーム用物品とは異なる種別の物体とを検出する検出手段と、
前記ゲーム用物品から取得された情報に基づくゲームであって、前記検出手段による検出結果を反映したゲームを実行する実行手段と、
所定の期間の移動がないと判断する前記ゲーム用物品及び前記異なる種別の物体の少なくともいずれかが存在する場合に、該物体の検出結果をゲームに反映しないよう制御する制御手段と、
を備え、
前記ゲーム用物品は、前記ゲームに登場するゲーム要素を特定するための情報を有し、
前記実行手段は、前記ゲーム用物品から取得された前記ゲーム要素を特定するための情報に基づき、該ゲーム要素を登場させるよう前記ゲームを実行するゲームシステム。
【請求項１２】
コンピュータを、請求項１乃至１０のいずれか１項に記載のゲーム装置の各手段として機能させるためのプログラム。
【手続補正２】
【補正対象書類名】明細書
【補正対象項目名】０００６
【補正方法】変更
【補正の内容】
【０００６】
本発明のゲーム装置は、盤面と、盤面上に存在する物体を検出する検出手段と、物体から取得された情報に基づくゲームであって、検出手段による検出結果を反映したゲームを実行する実行手段と、所定の期間の移動がないと判断する物体が存在する場合に、該物体の検出結果をゲームに反映しないよう制御する制御手段と、を備える。
【手続補正書】
【提出日】令和1年10月2日(2019.10.2)
【手続補正１】
【補正対象書類名】明細書
【補正対象項目名】００１８
【補正方法】変更
【補正の内容】
【００１８】
図１を参照して、実施の形態１に従う電気治療器２００は、主な構成として、治療器の本体部２０５と、治療部位に貼り付けるための一対のパッド２７０と、本体部２０５とパッド２７０とを電気的に接続するためのコード２８０とを含む。電気治療器２００は、有線タイプであり、低周波パルス電流を供給することで、ユーザの肩凝りをほぐす等の治療を行う低周波治療器であるとする。例えば、低周波パルス電流の周波数は、１Ｈｚ〜１２００Ｈｚである。ただし、電気治療器２００は、これ以外の周波数帯のパルス電流を用いる構成であってもよい。
【手続補正２】
【補正対象書類名】明細書
【補正対象項目名】００９６
【補正方法】変更
【補正の内容】
【００９６】
（３）上述した実施の形態において、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【手続補正３】
【補正対象書類名】図面
【補正対象項目名】図２
【補正方法】変更
【補正の内容】
【図２】
2018079222.tif 000001
【手続補正書】
【提出日】令和1年8月9日(2019.8.9)
【手続補正１】
【補正対象書類名】明細書
【補正対象項目名】０００４
【補正方法】変更
【補正の内容】
【０００４】
図５は、従来の車両制御装置の制御処理を示すフローチャート図である。従来の車両制御装置は、停車保持制御の作動中に既定された複数の停車保持条件が全て成立すると（ステップＳ６１：Ｙｅｓ）、停車保持制御を解除する（ステップＳ６２）。また、既定の停車保持解除条件の少なくとも一部が不成立の場合に（ステップＳ６１：Ｎｏ）、車両の移動が検出されると（ステップＳ６３：Ｙｅｓ）、車両の制動力を増加させる（ステップＳ６４）。これにより、運転者が意図していない車両の移動を防止している。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
船舶に搭載される置きタンク内の液体の船内への漏洩を防止する液体漏洩防止装置であって、
前記置きタンクの下部にコーミングにより形成され、前記置きタンク内の前記液体が全量漏洩した場合に、全量の液体を収容可能なコーミングスペースを備えたことを特徴とする船舶の置きタンクの液体漏洩防止装置。
【請求項２】
前記コーミングスペースは、デッキと、前記デッキに結合され側方から囲む側部コーミングと、前記側部コーミングに結合され上方から覆う上部コーミングとにより形成され、
前記上部コーミングには、前記置きタンクが搭載されると共に、前記置きタンクから漏洩した前記液体を前記コーミングスペースに流下させる流下開口が設けられ、
前記側部コーミングは、前記上部コーミングより上方へ突出し高くなっている上端部を有することを特徴とする請求項１記載の船舶の置きタンクの液体漏洩防止装置。
【請求項３】
前記コーミングスペースは、デッキに結合され側方から囲む側部コーミングと、前記側部コーミングに結合され上方から覆う上部コーミングと、前記側部コーミングに結合され下方から覆う下部コーミングとにより形成され、
前記上部コーミングには、前記置きタンクが搭載されると共に、前記置きタンクから漏洩した前記液体を前記コーミングスペースに流下させる流下開口が設けられ、
前記側部コーミングは、前記上部コーミングより上方へ突出し高くなっている上端部を有することを特徴とする請求項１記載の船舶の置きタンクの液体漏洩防止装置。
【請求項４】
前記コーミングスペースには、前記流下開口から流下する前記液体を所定量まで溜めるポットが設けられ、
前記ポット内の前記液体の量に応じて前記液体の漏洩を検知する漏洩検知装置を備えたことを特徴とする請求項２又は３記載の船舶の置きタンクの液体漏洩防止装置。
【請求項５】
前記上部コーミングには、前記コーミングスペースを目視可能とする上部開口がさらに設けられていることを特徴とする請求項２〜４の何れか一項に記載の船舶の置きタンクの液体漏洩防止装置。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
（Ａ）多官能（メタ）アクリレート  ９５〜１０質量％  と
（Ｂ）Ｎ−置換（メタ）アクリルアミド化合物 ５〜９０質量％
とからなり、ここで上記成分（Ａ）と上記成分（Ｂ）の和は１００質量％である
活性エネルギー線硬化性樹脂混合物 １００質量部；及び、
（Ｃ）アシルフォスフィンオキサイド系光重合開始剤  ０．１〜１０質量部；
を含む（α）塗料からなり、表面に微細凹凸構造を有する塗膜。
【請求項２】
上記微細凹凸構造の欠陥箇所が、紫外線を照らすことにより発色する請求項１に記載の塗膜。
【請求項３】
樹脂フィルムの少なくとも片面の上に請求項１又は２に記載の塗膜を有する塗膜積層フィルム。
【請求項４】
請求項１若しくは２に記載の塗膜又は請求項３に記載の塗膜積層フィルムを含む物品。
【請求項５】
表面に微細凹凸構造を有する塗膜の生産方法であって、
（１）樹脂フィルムの面の上に、上記塗料（α）を塗布する工程；
（２）上記工程（１）で形成された塗布膜の面の上に、インプリントモールドを載せ、押圧する工程；及び、
（３）活性エネルギー線を用い、上記塗布膜を硬化する工程；
を含む方法。
【請求項６】
表面に微細凹凸構造を有する塗膜の生産方法であって、
（１’）インプリントモールドの上に上記塗料（α）を塗布する工程；
（２’）上記工程（１’）で形成された塗布膜の面の上に、樹脂フィルムを覆うように載せ、押圧する工程；及び、
（３）活性エネルギー線を用い、上記塗布膜を硬化する工程；
を含む方法。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
受信した印刷ジョブを留め置き、ユーザからの印刷指示に応じて前記留め置かれた印刷ジョブの印刷を実行可能な画像形成装置であって、
前記印刷ジョブの受信に応じて、前記印刷ジョブに含まれる印刷データを印刷するための予測時間を予測するために、前記印刷データを解析する制御手段と、
前記受信した印刷ジョブを留め置く記憶手段と、
前記記憶手段に留め置かれた前記印刷ジョブと、前記制御手段により実行された解析に基づき予測された前記印刷データを印刷するための予測時間とを表示する表示手段と、
を備え、
前記表示手段は、前記解析のタイムアウトと前記解析におけるエラーとを識別可能に表示することを特徴とする画像形成装置。
【請求項２】
前記制御手段は、前記解析の開始時間と、前記解析の終了時間との差が、予め定めた制限時間を越えている場合にはタイムアウトが発生したと判定する
請求項１に記載の画像形成装置。
【請求項３】
前記表示手段は、前記解析においてエラーが発生した場合には、前記エラーが発生した印刷ジョブに関する前記エラーの情報を表示する
請求項１または請求項２に記載の画像形成装置。
【請求項４】
前記制御手段は、前記解析における前記エラーが復帰可能なエラーであるか否かを判定し、
前記表示手段は、前記解析における前記エラーが前記復帰可能なエラーでないと判定された場合には、前記エラーの情報として、印刷不可であることを示す情報を表示する
請求項１から請求項３のうちのいずれか１項に記載の画像形成装置。
【請求項５】
前記制御手段は、前記解析において発生した前記エラーが復帰可能なエラーである場合には、前記エラーがスキップ可能なエラーであるか否かを判定し、
前記表示手段は、前記エラーがスキップ可能であると判定された場合には、前記エラーの情報として、スキップ可能なエラーが発生したことを示す情報を表示する
請求項４に記載の画像形成装置。
【請求項６】
前記制御手段は、前記印刷データの中に画像形成装置の描画処理能力に適合しない描画命令が検出されたときに発生するエラーを、スキップ可能なエラーであると判定する
請求項５に記載の画像形成装置。
【請求項７】
前記表示手段は、前記エラーがスキップ不可能なエラーであると判定された場合には、前記エラーの情報として、スキップ不可能なエラーが発生したことを示す情報を表示する
請求項５または請求項６に記載の画像形成装置。
【請求項８】
前記スキップ不可能なエラーが発生した印刷ジョブに対して前記印刷指示が入力された場合には、前記表示手段は、前記スキップ不可能であるエラーが発生したページの前のページまで印刷を実行するか否かを決定させるための操作を実行することを促すメッセージを表示する
請求項７に記載の画像形成装置。
【請求項９】
受信した印刷ジョブを留め置き、ユーザからの印刷指示に応じて前記留め置かれた印刷ジョブの印刷を実行する留め置き印刷を実行可能な画像形成装置の制御方法であって、
前記印刷ジョブの受信に応じて、前記印刷ジョブに含まれる印刷データを印刷するための予測時間を予測するために、前記印刷データの解析するステップと、
前記受信した印刷ジョブを記憶手段に留め置くステップと、
前記記憶手段に留め置かれた前記印刷ジョブと、前記解析するステップにより実行された解析に基づき予測された前記印刷データを印刷するための予測時間とを表示するステップと、
を含み、
前記表示するステップは、前記解析のタイムアウトと前記解析におけるエラーとを識別可能に表示することを特徴とする制御方法。
【請求項１０】
コンピュータを請求項１から請求項８のうちのいずれか１項に記載の画像形成装置として機能させるためのプログラム。
【請求項１１】
前記制御手段は、前記印刷ジョブの印刷指示を受信する前に前記印刷ジョブに含まれる前記印刷データを解析する
請求項１に記載の画像形成装置。
【請求項１２】
前記記憶手段は、複数の印刷ジョブを留め置き、
前記表示手段は、前記複数の印刷ジョブと前記複数の印刷ジョブのそれぞれに対応する印刷するための複数の予測時間とを表示する
請求項１に記載の画像形成装置。
【請求項１３】
前記印刷するための予測時間は、前記印刷データの解析により得られた中間データに基づき前記印刷データのレンダリングの実行時間を予測することにより得られる時間である
請求項１に記載の画像形成装置。
【請求項１４】
前記印刷データを解析する間にエラーが発生する場合には、前記印刷するための予測時間は、前記エラーが発生する前に取得された中間データに基づき前記レンダリングの実行時間を予測することにより得られる時間である
請求項１３に記載の画像形成装置。
【請求項１５】
前記解析における前記エラーが復帰可能なエラーである場合には、前記表示手段は、前記エラーの情報として、前記エラーが発生するページ番号を伴う前記エラーの原因を表示する
請求項４に記載の画像形成装置。
【請求項１６】
前記表示手段は、前記エラーの情報として、スキップ可能なエラーが発生したことを示す情報と前記エラーが発生したページ番号とを表示する
請求項５に記載の画像形成装置。
【請求項１７】
前記表示手段がスキップ可能なエラーが発生したことを示す情報と前記エラーが発生したページ番号を伴う前記印刷ジョブの印刷命令とを受信する場合には、前記制御手段は前記エラーが発生したページ番号をスキップし、前記印刷ジョブを実行する
請求項１６に記載の画像形成装置。
【請求項１８】
前記表示手段は、前記解析のタイムアウトが発生する場合には、前記印刷するための予測時間を表示しない
請求項１に記載の画像形成装置。
【請求項１９】
前記表示手段は、前記解析において前記エラーが発生した場合には、前記印刷するための予測時間を表示せずに前記エラーの情報を表示する
請求項３に記載の画像形成装置。
【手続補正２】
【補正対象書類名】明細書
【補正対象項目名】０００７
【補正方法】変更
【補正の内容】
【０００７】
本発明による画像形成装置は、受信した印刷ジョブを留め置き、ユーザからの印刷指示に応じて留め置かれた印刷ジョブの印刷を実行可能な画像形成装置であって、印刷ジョブの受信に応じて、印刷ジョブに含まれる印刷データを印刷するための予測時間を予測するために、受信した印刷ジョブを留め置く記憶手段と、記憶手段に留め置かれた印刷ジョブと、制御手段により実行された解析に基づき予測された印刷データを印刷するための予測時間とを表示する表示手段と、を備え、表示手段は、解析のタイムアウトと解析におけるエラーとを識別可能に表示することを特徴とする。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
エラーを検出する検出部と、
前記エラーに対応するエラー情報を記憶する記憶部と、
外部装置と通信をする通信部と、
印刷媒体に印刷をする印刷部と、
制御部と、を備え、
前記制御部は、
前記検出部が前記エラーを検出すると、前記通信部が第１コマンドを受信し第２コマンドを受信しない第１状態へと移行し、前記通信部が前記第１コマンドを受信すると、前記エラーが印刷可能な第１エラーか、印刷不可能な第２エラーかを判断し、前記第１エラーと判断した場合は前記記憶部から前記エラー情報を取得して前記印刷部により印刷し、前記第２エラーと判断した場合は前記記憶部から前記エラー情報を取得して前記通信部から前記外部装置へ送信する印刷装置。
【請求項２】
前記エラー情報は、前記エラーに対する対処方法を含む、請求項１に記載の印刷装置。
【請求項３】
前記エラー情報は、前記エラーに関するログ情報を含む、請求項１又は２に記載の印刷装置。
【請求項４】
前記制御部は、
前記検出部が前記エラーから復帰したことを検出したとき、前記通信部が前記第１コマンド及び前記第２コマンドを受信する第２状態へと移行し、前記通信部が前記第２コマンドを受信すると、前記記憶部から前記ログ情報を取得して前記印刷部により印刷するか、または、前記通信部から前記外部装置へ送信する請求項３に記載の印刷装置。
【請求項５】
外部装置と通信し、印刷媒体に印刷をする印刷部を有する印刷装置の制御方法であって、
エラーを検出すると、第１コマンドを受信し第２コマンドを受信しない第１状態へと移行し、
前記第1状態に移行した後、前記第１コマンドを受信すると、前記エラーが印刷可能な第１エラーか、印刷不可能な第２エラーかを判断し、
前記第１エラーと判断した場合は前記エラーに対応するエラー情報を前記印刷部により印刷し、
前記第２エラーと判断した場合は前記エラー情報を前記外部装置へ送信する印刷装置の制御方法。
【手続補正書】
【提出日】令和1年11月8日(2019.11.8)
【手続補正１】
【補正対象書類名】特許請求の範囲
【補正対象項目名】請求項７
【補正方法】変更
【補正の内容】
【請求項７】
ファームウェア上で任意のアプリケーションプログラムを動作させることができる画像形成装置を制御する制御方法であって、
前記画像形成装置の操作制御手段が、操作部を介したユーザの操作、及び表示部への表示を前記ファームウェアとの間で仲介する操作制御工程と、
前記画像形成装置のＵＩデバイス制御手段が、前記操作部を介したユーザの操作を受付けると、前記ファームウェアと、前記操作制御手段とに通知するＵＩデバイス制御工程と、を有し、
前記ＵＩデバイス制御工程は、前記ファームウェア上でアプリケーションプログラムが起動しているときは、前記ユーザの操作に基づく操作情報を前記ファームウェアを介して前記アプリケーションプログラムに通知するとともに、前記操作制御手段にダミーの操作情報を通知し、
前記ファームウェア上でアプリケーションプログラムが起動していないときは、前記操作制御手段に前記ユーザの操作に基づく操作情報を通知することを特徴とする画像形成装置の制御方法。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
印刷データに基づいて形成される画像における複数の所定領域の各々に、記録媒体上にインクを吐出する吐出手段と、
前記吐出手段がインクを吐出するための電力を無線により供給する送電手段と、
前記複数の所定領域の各々について、前記吐出手段から吐出されるインク滴の量を判定する判定手段と、
前記吐出手段による前記複数の所定領域のうちの一つの領域へのインクの吐出の前に、前記判定手段により判定された、前記一つの領域に対して前記吐出手段により吐出されるインク滴の量に基づいて、前記送電手段から前記吐出手段に供給される電力量を設定する設定手段と、
を有することを特徴とする印刷装置。
【請求項２】
前記判定手段により判定された前記複数の所定領域の各々の前記吐出手段から吐出されるインク滴の量に基づいて、前記複数の所定領域の各々について前記吐出手段により消費される電力量を推定する推定手段を有し、
前記設定手段は、前記吐出手段による前記一つの領域へのインクの吐出の前に、前記推定手段により推定された、前記一つの領域のために前記吐出手段により消費される電力量に基づいて、前記送電手段から前記吐出手段に供給される電力量を設定することを特徴とする請求項１記載の印刷装置。
【請求項３】
前記複数の所定領域は、前記吐出手段の一走査で記録が行われる領域を、走査方向に所定数で分割した領域であることを特徴とする請求項１または２に記載の印刷装置。
【請求項４】
前記判定手段は、前記吐出手段により吐出されるインク滴の数と閾値との比較により複数回の走査に分けて印刷を行う分割印刷を行うか否かを判定し、
前記設定手段は、分割印刷を行う領域については、前記分割印刷による各走査におけるインク滴の数に基づいて、前記送電手段から前記吐出手段へ供給される電力量を設定することを特徴とする請求項３に記載の印刷装置。
【請求項５】
前記吐出手段により吐出されるインク滴の量と設定すべき供給電力量との対応が記録されたテーブルをさらに備え、
前記設定手段は、前記テーブルを参照して前記送電手段から前記吐出手段へ供給される電力量を設定することを特徴とする請求項１から３のいずれか１項に記載の印刷装置。
【請求項６】
前記設定手段は、前記印刷データによって指示される印刷方法に基づいて前記送電手段から前記吐出手段へ供給される電力量を設定することを特徴とする請求項１から３のいずれか１項に記載の印刷装置。
【請求項７】
前記印刷方法は、カラー印刷かモノクロ印刷かを示すカラーモード、または、印刷品質のレベルを含むことを特徴とする請求項６に記載の印刷装置。
【請求項８】
前記印刷方法と設定すべき供給電力量との対応が記録されたテーブルをさらに備え、
前記設定手段は、前記テーブルを参照して前記送電手段から前記吐出手段へ供給される電力量を設定することを特徴とする請求項７に記載の印刷装置。
【請求項９】
前記設定手段は、前記印刷データに基づいて決定されるカラー数に基づいて前記送電手段から前記吐出手段へ供給される電力量を設定することを特徴とする請求項１から３のいずれか1項に記載の印刷装置。
【請求項１０】
前記設定手段は、前記印刷データを受信するまでは、前記送電手段から前記吐出手段へ供給される電力量を、データ受信の動作に必要な電力に設定することを特徴とする請求項１から９のいずれか１項に記載の印刷装置。
【請求項１１】
前記設定手段は、前記印刷データを受信したことに従って、前記送電手段から前記吐出手段へ供給される電力量を前記吐出手段の加温を行うための電力量に設定することを特徴とする請求項１から１０のいずれか1項に記載の印刷装置。
【請求項１２】
前記送電手段は、入力される直流電圧をスイッチングすることで交流電圧を生成する増幅器を用いて、前記吐出手段がインクを吐出するための電力を無線により供給し、
前記設定手段は、前記増幅器に入力される直流電圧を設定することを特徴とする請求項１から１１のいずれか１項に記載の印刷装置。
【請求項１３】
前記増幅器はＥ級増幅器であり、
前記設定手段は、前記Ｅ級増幅器におけるゼロ電圧スイッチング（ＺＶＳ）を実現するように、前記Ｅ級増幅器に入力される直流電圧を設定することを特徴とする請求項１２に記載の印刷装置。
【請求項１４】
インクを記録媒体に、印刷データに基づいて吐出する吐出手段と、
前記吐出手段がインクを吐出するための電力を無線により供給する送電手段と、を備える印刷装置の制御方法であって、
印刷データに基づいて形成される画像における複数の所定領域の各々について、前記吐出手段から吐出されるインク滴の量を判定する判定工程と、
前記吐出手段による前記複数の所定領域のうちの一つの領域へのインクの吐出の前に、前記判定工程において判定された、前記一つの領域に対して前記吐出手段により吐出されるインク滴の量に基づいて、前記送電手段から前記吐出手段に供給される電力量を設定する設定工程と、
を有することを特徴とする制御方法。
【請求項１５】
コンピュータを、請求項１から１３のいずれか１項に記載の印刷装置として動作させるためのプログラム。
【手続補正２】
【補正対象書類名】明細書
【補正対象項目名】発明の名称
【補正方法】変更
【補正の内容】
【発明の名称】印刷装置およびその制御方法、プログラム
【手続補正３】
【補正対象書類名】明細書
【補正対象項目名】０００７
【補正方法】変更
【補正の内容】
【０００７】
上記の目的を達成するための本発明の一態様による印刷装置は以下の構成を有する。すなわち、
印刷データに基づいて形成される画像における複数の所定領域の各々に、記録媒体上にインクを吐出する吐出手段と、
前記吐出手段がインクを吐出するための電力を無線により供給する送電手段と、
前記複数の所定領域の各々について、前記吐出手段から吐出されるインク滴の量を判定する判定手段と、
前記吐出手段による前記複数の所定領域のうちの一つの領域へのインクの吐出の前に、前記判定手段により判定された、前記一つの領域に対して前記吐出手段により吐出されるインク滴の量に基づいて、前記送電手段から前記吐出手段に供給される電力量を設定する設定手段と、を有する。
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
遊技機の側方に設けられた遊技場用装置において、
隣り合う遊技空間を遮ることが可能な遮蔽部材と、
遊技者と遊技機との間に送風可能な送風装置と、
前記送風装置が送風困難な遊技空間の空気を吸引可能な吸引装置と、を備えた
ことを特徴とする遊技場用装置。
【請求項２】
前記遊技機を遊技可能な遊技者が存在していることを検知可能な検知手段を備え、
前記送風装置は、前記検知手段が遊技者の存在を検知したことに基づいて、送風可能である
ことを特徴とする請求項１に記載の遊技場用装置。
【請求項３】
前記遊技機を遊技可能な遊技者が存在していることを検知可能な検知手段を備え、
前記吸引装置は、前記検知手段が遊技者の存在を検知したことに基づいて、吸引可能である
ことを特徴とする請求項１又は２に記載の遊技場用装置。
【請求項４】
前記送風装置からの送風角度を変更可能な送風角度変更手段を備えた
ことを特徴とする請求項１〜３のいずれか一項に記載の遊技場用装置。
【請求項５】
前記遮蔽部材は、第一位置と、当該第一位置よりも広範囲で煙を遮る第二位置とに変位可能であり、
前記遊技機で獲得した遊技媒体を投入可能な投入部材を載置可能な天板と、前記遮蔽部材との間には、所定の間隔が設けられ、
前記遮蔽部材が前記第一位置から前記第二位置に変移したことに伴って、第三位置から当該第三位置よりも前記所定の間隔を広範囲で塞ぐ第四位置に変位可能な特定遮蔽部材を備える
ことを特徴とする請求項１〜４のいずれか一項に記載の遊技場用装置。
【手続補正２】
【補正対象書類名】明細書
【補正対象項目名】発明の名称
【補正方法】変更
【補正の内容】
【発明の名称】遊技場用装置
【手続補正３】
【補正対象書類名】明細書
【補正対象項目名】０００１
【補正方法】変更
【補正の内容】
【０００１】
本発明は、遊技場において遊技機ごとに設けられる遊技場用装置に関する。
【手続補正４】
【補正対象書類名】明細書
【補正対象項目名】０００２
【補正方法】変更
【補正の内容】
【０００２】
パチンコ機やスロットマシン等の遊技機が設置された遊技場においては、遊技者は喫煙をしながら遊技を行うことがあり、タバコの煙が広がって周囲の遊技者の迷惑になることがある。
このような遊技場の喫煙問題に対し、例えば、特許文献１には、吸引装置が遊技機の下部にある灰皿の煙を吸引し、吸引した煙を分煙ボード（流煙防止板）の内部を通って上部に排出する遊技場用装置が提案されている。
このような遊技場用装置によれば、遊技者の喫煙による煙や灰皿からの煙が隣の遊技者の遊技空間に侵入するのを防止することができる。
【手続補正５】
【補正対象書類名】明細書
【補正対象項目名】０００４
【補正方法】変更
【補正の内容】
【０００４】
しかしながら、従来の遊技場用装置には改善の余地があった。
【手続補正６】
【補正対象書類名】明細書
【補正対象項目名】０００５
【補正方法】変更
【補正の内容】
【０００５】
上記目的を達成するため、本発明の遊技場用装置は、遊技機の側方に設けられた遊技場用装置において、隣り合う遊技空間を遮ることが可能な遮蔽部材と、遊技者と遊技機との間に送風可能な送風装置と、前記送風装置が送風困難な遊技空間の空気を吸引可能な吸引装置と、を備えた構成としてある。
【手続補正７】
【補正対象書類名】明細書
【補正対象項目名】００４７
【補正方法】変更
【補正の内容】
【００４７】
一方、従来の遊技場用装置においては、吸引装置が遊技機の下部にある灰皿の煙を吸引し、吸引した煙を分煙ボード（流煙防止板）の内部を通って上部に排出する遊技場用装置がある。
しかしながら、このような遊技場用装置では、遊技者と遊技機の間の煙を効果的に除去することができない問題があった。
【手続補正８】
【補正対象書類名】明細書
【補正対象項目名】００４８
【補正方法】変更
【補正の内容】
【００４８】
本発明の遊技場用装置によれば、従来の遊技場用装置が改善すべきこのような課題の全部又は一部などを解決することができる。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
表示手段と、
遊技の制御を行う主制御手段と、
設定値を記憶可能な記憶手段と、
を備え、
前記主制御手段は、「０」〜「Ｎ」（但し、Ｎは１以上の整数）の範囲内の値を前記記憶手段に記憶可能とし、所定の条件を満たした場合に、前記記憶手段に「０」が記憶されているときには、前記表示手段に「１」を示す情報を表示可能とし、前記記憶手段に「Ｎ」が記憶されているときには、前記表示手段に「Ｎ＋１」を示す情報を表示可能とし、
所定の特別役を決定したときに当該所定の特別役に対応した図柄組合せが停止表示されなかった後は所定の内部中遊技状態に移行可能とし、
遊技者にとって最も不利となる設定値（以下、「設定値Ｘ」と称す）における所定の遊技方法において１７５００回遊技したときの出玉率（１７５００回の遊技の総払出枚数／１７５００回の遊技の総投入枚数×１００）をαとし、
遊技者にとって最も有利となる設定値（以下、「設定値Ｙ」と称す）における所定の遊技方法において１７５００回遊技したときの出玉率（１７５００回の遊技の総払出枚数／１７５００回の遊技の総投入枚数×１００）をβとし、
設定値Ｘにおける所定の内部中遊技状態の出玉率（所定の内部中遊技状態の総払出枚数／所定の内部中遊技状態の総投入枚数×１００）をγとし、
設定値Ｙにおける所定の内部中遊技状態の出玉率（所定の内部中遊技状態の総払出枚数／所定の内部中遊技状態の総投入枚数×１００）をθとしたとき、
α  ＜  １００％  ＜  β
γ  ＜  １００％
θ  ＜  １００％
を満たし、
設定値Ｘにおいて所定の内部中遊技状態でのはずれを決定する確率は、設定値Ｘにおいて他の遊技状態でのはずれを決定する確率以上に設定しており、
設定値Ｙにおいて所定の内部中遊技状態でのはずれを決定する確率は、設定値Ｙにおいて他の遊技状態でのはずれを決定する確率以上に設定している
ことを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、表示手段と、遊技の制御を行う主制御手段と、設定値を記憶可能な記憶手段と、を備え、前記主制御手段は、「０」〜「Ｎ」（但し、Ｎは１以上の整数）の範囲内の値を前記記憶手段に記憶可能とし、所定の条件を満たした場合に、前記記憶手段に「０」が記憶されているときには、前記表示手段に「１」を示す情報を表示可能とし、前記記憶手段に「Ｎ」が記憶されているときには、前記表示手段に「Ｎ＋１」を示す情報を表示可能とし、所定の特別役を決定したときに当該所定の特別役に対応した図柄組合せが停止表示されなかった後は所定の内部中遊技状態に移行可能とし、遊技者にとって最も不利となる設定値（以下、「設定値Ｘ」と称す）における所定の遊技方法において１７５００回遊技したときの出玉率（１７５００回の遊技の総払出枚数／１７５００回の遊技の総投入枚数×１００）をαとし、遊技者にとって最も有利となる設定値（以下、「設定値Ｙ」と称す）における所定の遊技方法において１７５００回遊技したときの出玉率（１７５００回の遊技の総払出枚数／１７５００回の遊技の総投入枚数×１００）をβとし、設定値Ｘにおける所定の内部中遊技状態の出玉率（所定の内部中遊技状態の総払出枚数／所定の内部中遊技状態の総投入枚数×１００）をγとし、設定値Ｙにおける所定の内部中遊技状態の出玉率（所定の内部中遊技状態の総払出枚数／所定の内部中遊技状態の総投入枚数×１００）をθとしたとき、
α  ＜  １００％  ＜  β
γ  ＜  １００％
θ  ＜  １００％
を満たし、設定値Ｘにおいて所定の内部中遊技状態でのはずれを決定する確率は、設定値Ｘにおいて他の遊技状態でのはずれを決定する確率以上に設定しており、設定値Ｙにおいて所定の内部中遊技状態でのはずれを決定する確率は、設定値Ｙにおいて他の遊技状態でのはずれを決定する確率以上に設定していることを特徴とする。
【手続補正３】
【補正対象書類名】明細書
【補正対象項目名】０４５３
【補正方法】変更
【補正の内容】
【０４５３】
以上のように、出玉率が上述した条件式（１）〜（３）を満足するように構成することにより、内部中遊技状態（ＲＴ５遊技状態）が遊技者にとって不利な遊技状態となるため、特別役（ＢＢ−Ａ又はＢＢ−Ｂ）に当選して内部中遊技状態（ＲＴ５遊技状態）に移行したときは、遊技者は速やかに当該特別役の図柄の組み合わせを有効ライン上に停止表示させて特別遊技（ＲＴ６遊技状態）に移行しようとするため、内部中遊技状態（ＲＴ５遊技状態）への滞在率を下げ、設計上想定される出玉率にすることができ、遊技施設は設計上想定される利益を確保することができる。なお、このような効果を確実にするために、出玉率が、以下に示す条件式を満足するように設計することが望ましい。